(57)【特許請求の範囲】
【請求項１】
複数の基地局から送信された前回位置情報を含む電波のうちの１つの電波を現時点より前の前時点で受信して、前記前時点で受信された電波の強さを表す前回受信電界値と前記前回位置情報とを出力し、複数の基地局から送信された今回位置情報を含む電波のうちの１つの電波を前記現時点で受信し、前記現時点で受信された電波の強さを表す今回受信電界値と、前記現時点の位置情報を示す前記今回位置情報とを出力する無線部と、
基準電界値と前記前回位置情報とを記憶する記憶部と、
前記今回受信電界値が前記基準電界値よりも低いときに設定カウント値を設定し、前記今回受信電界値が前記基準電界値以上であり、前記今回位置情報と前記前回位置情報とが一致しているときにカウントし、カウント値と前記設定カウント値との比較の結果とに基づいて、前記複数の基地局の圏内であることを示し、通話が可能な圏内モードと、前記複数の基地局の圏外であることを示し、通話が不可能な圏外モードとのうちの一方のモードを設定する制御部と
を備えた無線電話機。
【請求項２】
請求項１に記載の無線電話機において、
前記制御部は、
前記今回受信電界値が前記基準電界値よりも低いときに前記設定カウント値を設定し、
前記設定カウント値を設定したときに前記圏外モードを設定し、
前記今回受信電界値が前記基準電界値以上であり、前記今回位置情報と前記前回位置情報とが一致しているときにカウントし、
前記カウント値と前記設定カウント値との比較の結果とに基づいて、前記圏内モード又は前記圏外モードを設定する
無線電話機。
【請求項３】
請求項２に記載の無線電話機において、
前記制御部は、
前記圏内モードにおいて、前記今回受信電界値が前記基準電界値よりも低いときに前記設定カウント値を設定し、
前記設定カウント値を設定したときに前記圏外モードを設定し、
前記今回受信電界値が前記基準電界値以上であり、前記今回位置情報と前記前回位置情報とが一致しているときにカウントし、
前記カウント値と前記設定カウント値とが一致しない場合、前記圏外モードを継続し、
前記カウント値と前記設定カウント値とが一致した場合、前記圏内モードを設定する
無線電話機。
【請求項４】
請求項２又は３に記載の無線電話機において、
前記設定カウント値は、前記圏外モードを設定してから前記圏内モードを設定するまでの設定時間に対応する
無線電話機。
【請求項５】
（ａ）  複数の基地局から送信された前回位置情報を含む電波のうちの１つの電波を現時点より前の前時点で受信して、前記前時点で受信された電波の強さを表す前回受信電界値と前記前回位置情報とを取得するステップと、
（ｂ）  複数の基地局から送信された今回位置情報を含む電波のうちの１つの電波を前記現時点で受信し、前記現時点で受信された電波の強さを表す今回受信電界値と、前記現時点の位置情報を示す前記今回位置情報とを取得するステップと、
（ｃ）  前記今回受信電界値が前記基準電界値よりも低いときに設定カウント値を設定するステップと、
（ｄ）  前記今回受信電界値が前記基準電界値以上であり、前記今回位置情報と前記前回位置情報とが一致しているときにカウントするステップと、
（ｅ）  カウント値と前記設定カウント値との比較の結果とに基づいて、前記複数の基地局の圏内であることを示し、通話が可能な圏内モードと、前記複数の基地局の圏外であることを示し、通話が不可能な圏外モードとのうちの一方のモードを設定するステップとを備えた無線電話機の圏内判定方法。
【請求項６】
請求項５に記載の無線電話機の圏内判定方法において、
（ｆ）  前記設定カウント値を設定したときに前記圏外モードを設定するステップを更に具備する無線電話機の圏内判定方法。
【請求項７】
請求項６に記載の無線電話機の圏内判定方法において、
前記（ｃ）のステップは、
前記圏内モードにおいて、前記今回受信電界値が前記基準電界値よりも低いときに前記設定カウント値を設定し、
前記（ｄ）のステップは、前記（ｃ）、（ｆ）のステップの後、
前記圏外モードにおいて、前記今回受信電界値が前記基準電界値以上であり、前記今回位置情報と前記前回位置情報とが一致しているときにカウントするステップを含み、
前記（ｅ）のステップは、
前記カウント値と前記設定カウント値とが一致しない場合、前記圏外モードを継続するステップと、
前記カウント値と前記設定カウント値とが一致した場合、前記圏内モードを設定するステップと
を含む
無線電話機の圏内判定方法。
【請求項８】
請求項６又は７に記載の無線電話機の圏内判定方法において、
前記設定カウント値は、前記圏外モードを設定してから前記圏内モードを設定するまでの設定時間に対応する
無線電話機の圏内判定方法。
【発明の詳細な説明】
【０００１】
【発明の属する技術分野】
本発明は、無線電話機及びその圏内判定方法に関し、特に無線基地局の圏内・圏外を判定する無線電話機及びその圏内判定方法に関する。
【０００２】
【従来の技術】
無線電話システムは、親機に対応する複数の無線基地局と、子機に対応する無線電話機とを備えている。無線電話機（子機）は、公衆回線に接続された複数の無線基地局（親機）と時分割多重無線伝送路を介して接続されている。また、無線電話機は、電力源となる充電池を備えている。親機としては、市街地に設けられ、家庭や会社に設けられる自営基地局、屋外に設けられる公衆基地局が挙げられる。無線電話機は、時分割多重無線伝送路にて、複数の無線基地局と、電波（チャネルデータ）を送受信することが可能である。
【０００３】
複数の無線基地局と無線電話機は、ユニークワード（同期信号）、音声データ、音声データを伝送するための制御に用いられる制御データを含むフレームを有する電波（チャネルデータ）を送受信する。無線電話機は、複数の無線基地局から送信された電波のうちの１つの電波を受信する。
【０００４】
圏内モード（待ち受けモード）のとき、無線電話機は、時分割多重無線伝送路にて複数の無線基地局と、電波を送受信する。待ち受けモードとは、複数の無線基地局（のうちの１つの無線基地局）の圏内であることを示し、無線電話機は、複数の無線基地局のうちの１つの無線基地局を介して電話をすることができる（通話が可能な）モードである。
【０００５】
圏外モードのとき、無線電話機は、時分割多重無線伝送路にて複数の無線基地局と、電波を所定の周期で（Ｘ秒おきに（Ｘは整数））受信する。圏外モードとは、複数の無線基地局の圏外であることを示し、複数の無線基地局のうちの１つの無線基地局を介して電話をすることができない（通話が不可能な）モードである。また、圏外モードとは、無線電話機が電波を所定の周期で受信することにより、Ｘ秒毎に無線電話機が複数の無線基地局（のうちの１つの無線基地局）を検索しながら、且つ無線電話機の消費電力を待ち受けモードに比べて抑えることができるモードである。
【０００６】
無線電話機は、待ち受けモードにて、複数の無線基地局から送信されたユニークワード、音声データ、制御データを含むフレームを有する電波のうちの１つの電波を受信し、フレームに含まれるユニークワードを抽出してフレームの同期をとることにより、待ち受けモードを継続し、同期をとることができないとき、圏外モードを設定する。
【０００７】
また、無線電話機は、待ち受けモードにて、その電波を受信したときの電波の強さを表す受信電界値と、基準電界値（圏内レベル）とを比較し、受信電界値と圏内レベルとの比較により、通常、受信電界値が圏内レベルより高いとき待ち受けモードを継続し、受信電界値が圏内レベルより低いとき圏外モードを設定する。無線電話機は、圏外モードにて、その電波を所定の周期で受信したときの受信電界値と、圏内レベルとを比較し、受信電界値と圏内レベルとの比較により、通常、受信電界値が圏内レベルより高いとき待ち受けモードを設定し、受信電界値が圏内レベルより低いとき圏外モードを継続する。
【０００８】
このような設定により、無線電話機は、待ち受けモードにて、複数の無線基地局のうちの１つの無線基地局を介して電話をすることができる。
【０００９】
【発明が解決しようとする課題】
ところが、市街地に無線基地局が多数設けられている場所であっても、その電波を市街地内における建物の陰や地下街のような場所で無線電話機が受信したときの受信電界値は、局地的に圏内レベルよりも低くなったり、通常の受信電界値以上に戻ったりすることがある。このような場所は、無線基地局の圏内と圏外との境界近辺に対応し、無線電話機は、受信電界値が圏内レベルよりも低い場合、待ち受けモードにて圏外モードを設定し、通常の圏内レベル以上に戻った場合、圏外モードにて待ち受けモードを設定することになる。このように、圏内と圏外との境界近辺で圏内モードと圏外モードとを繰り返すことにより、無線電話機に備えられた充電池の電力を無駄に浪費してしまう。また、充電池の電力を無駄に浪費してしまうため、無線電話機の使用可能時間が短くなってしまい、使い勝手が悪い。
【００１０】
このため、圏内と圏外との境界近辺で圏内モードと圏外モードとを繰り返すことによる電力の浪費を低減することができる無線電話機が望まれる。また、電力の浪費を低減することにより、使用可能時間を長くすることができる無線電話機が望まれる。
【００１１】
また、無線電話機が圏外にある状態が継続している場合に圏外モードを設定することができる無線電話機としては、特開平１０−９３５０２号公報、特開平８−２９４１６５号公報、特開平５−３００２３号公報が開示されているが、圏内と圏外との境界近辺で確実に圏内モードと圏外モードとの一方を設定することができない。このため、圏内と圏外との境界近辺で確実に圏内モードと圏外モードとの一方を設定することができる無線電話機が望まれる。
【００１２】
また、圏内と圏外との境界近辺で圏内モードと圏外モードとの一方を設定することができる無線電話機としては、特開平１１−３３１９１６号公報が開示されている。この特開平１１−３３１９１６号公報に開示された無線電話機は、受信電界値が圏内レベルよりも低い場合、待ち受けモードにて圏外モードを設定し、通常の圏内レベル以上に戻った場合、圏外モードにて直ちに待ち受けモードを設定するが、再度、受信電界値が圏内レベルよりも低い場合、待ち受けモードにて圏外モードを設定するため、圏内と圏外との境界近辺で圏内モードと圏外モードとを繰り返すことにより、充電池の電力を無駄に浪費し、使用可能時間が短くなってしまう。このため、圏内と圏外との境界近辺で確実に圏内モードと圏外モードとの一方を設定することにより、電力の浪費を低減し、使用可能時間を長くすることができる無線電話機が望まれる。
【００１３】
本発明の目的は、圏内と圏外との境界近辺で圏内モードと圏外モードとを繰り返すことによる電力の浪費を低減することができる無線電話機及びその圏内判定方法を提供することにある。
【００１４】
本発明の他の目的は、電力の浪費を低減することにより、使用可能時間を長くすることができる無線電話機及びその圏内判定方法を提供することにある。
【００１５】
本発明の更に他の目的は、圏内と圏外との境界近辺で確実に圏内モードと圏外モードとの一方を設定することができる無線電話機及びその圏内判定方法を提供することにある。
【００１６】
本発明の更に他の目的は、圏内と圏外との境界近辺で確実に圏内モードと圏外モードとの一方を設定することにより、電力の浪費を低減し、使用可能時間を長くすることができる無線電話機及びその圏内判定方法を提供することにある。
【００１７】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００１８】
本発明の無線電話機は、無線部（１）と記憶部（７）と制御部（４）とを備えている。無線部（１）は、複数の基地局から送信された第１位置情報を含む電波のうちの１つの電波を受信し、第１時点に受信された電波の強さを表す第１受信電界値と、第１時点の位置情報を示す第１位置情報とを出力する。記憶部（７）は、基準電界値と、第１時点より前の第２時点の位置情報を示す第２位置情報とを記憶する。制御部（４）は、受信電界値と基準電界値とを比較し、第１位置情報と第２位置情報とを比較し、受信電界値と基準電界値との比較の結果と、第１位置情報と第２位置情報との比較の結果とに基づいて、複数の基地局の圏内であることを示し、通話が可能な圏内モードと、複数の基地局の圏外であることを示し、通話が不可能な圏外モードとのうちの一方を設定する。
【００１９】
制御部（４）は、第１受信電界値と基準電界値との比較が第１比較結果のとき圏外モードを設定する。
【００２０】
無線部（１）は、複数の基地局から送信された第２位置情報を含む電波のうちの１つの電波を受信し、第２時点に受信された電波の強さを表す第２受信電界値と第２位置情報とを出力する。制御部（４）は、第２受信電界値と基準電界値との比較が第１比較結果のとき圏外モードを設定する前に設定カウント値を設定し、第１受信電界値と基準電界値との比較が第２比較結果であり、第１位置情報と第２位置情報との比較が第１位置比較結果であるときカウントし、カウント値と設定カウント値とを比較し、カウント値と設定カウント値との比較の結果に基づいて圏内モードを設定する。
【００２１】
設定カウント値は、圏外モードを設定してから圏内モードを設定するまでの設定時間に対応する。
【００２２】
制御部（４）は、カウント値と設定カウント値との比較の結果、カウント値と設定カウント値とが一致しないとき圏外モードの設定を継続し、カウント値と設定カウント値とが一致したとき圏内モードを設定する。
【００２３】
カウント値と設定カウント値とが一致したときのカウント値は、第２比較結果と第１位置比較結果のとき制御部（４）がカウントした連続値である。
【００２４】
第１比較結果は、第１受信電界値又は第２受信電界値が基準電界値より低い。第２比較結果は、第１受信電界値又は第２受信電界値が基準電界値以上である。第１位置比較結果は、第１位置情報と第２位置情報とが一致している。
【００２５】
第１比較結果は、第１受信電界値又は第２受信電界値が基準電界値以下である。第２比較結果は、第１受信電界値又は第２受信電界値が基準電界値より高い。第１位置比較結果は、第１位置情報と第２位置情報とが一致している。
【００２６】
制御部（４）は、第１受信電界値と基準電界値との比較が第２比較結果であり、第１位置情報と第２位置情報との比較が第２位置比較結果であるとき圏内モードを設定する。この場合、第２位置比較結果は、第１位置情報と第２位置情報とが一致していない。
【００２７】
本発明の無線電話機は、更に、電力源となる図示せぬ充電池を更に備えている。本発明の無線電話機は、受信電界値と基準電界値との比較の結果と、第１位置情報と第２位置情報との比較の結果とに基づいて、圏内モードと圏外モードとのうちの一方を設定し、圏内と圏外との境界近辺で圏内モードと圏外モードとを繰り返さないため、充電池の電力を無駄に浪費しない。これにより、本発明の無線電話機は、圏内と圏外との境界近辺で待ち受けモードと圏外モードとを繰り返すことによる充電池の電力の浪費を低減することができる。また、本発明の無線電話機は、充電池の電力の浪費を低減することにより、本発明の無線電話機の使用可能時間を長くすることができる。
【００２８】
本発明の無線電話機の圏内判定方法は、（ａ）複数の基地局から送信された第１位置情報を含む電波のうちの１つの電波を第１時点で受信し、第１時点に受信された電波の強さを表す第１受信電界値と、第１時点の位置情報を示す第１位置情報とを出力するステップと、（ｂ）第１受信電界値と基準電界値とを比較するステップと、（ｃ）第１位置情報と、第１時点より前の第２時点の位置情報を示す第２位置情報とを比較するステップと、（ｄ）第１受信電界値と基準電界値との比較の結果と、第１位置情報と第２位置情報との比較の結果とに基づいて、複数の基地局の圏内であることを示し、通話が可能な圏内モードと、複数の基地局の圏外であることを示し、通話が不可能な圏外モードとのうちの一方を設定するステップとを備えている。
【００２９】
（ａ）のステップは、（ｅ）複数の基地局から送信された第２位置情報を含む電波のうちの１つの電波を第２時点で受信し、第２時点に受信された電波の強さを表す第２受信電界値と第２位置情報とを出力するステップを更に備えている。（ｄ）のステップは、（ｆ）第２受信電界値と基準電界値との比較が第１比較結果のとき設定カウント値を設定して圏外モードを設定するステップと、（ｇ）第１受信電界値と基準電界値との比較が第２比較結果であり、第１位置情報と第２位置情報との比較が第１位置比較結果であるときカウントするステップと、（ｈ）カウント値と設定カウント値とを比較するステップと、（ｉ）カウント値と設定カウント値との比較の結果に基づいて圏内モードを設定するステップとを更に備えている。
【００３０】
本発明の無線電話機の圏内判定方法において、設定カウント値は、圏外モードを設定してから圏内モードを設定するまでの設定時間に対応する。
【００３１】
（ｉ）のステップは、（ｊ）カウント値と設定カウント値との比較によりカウント値と設定カウント値とが一致しないとき圏外モードの設定を継続するステップと、（ｋ）カウント値と設定カウント値との比較によりカウント値と設定カウント値とが一致したとき圏内モードを設定するステップとを更に備えている。
【００３２】
本発明の無線電話機の圏内判定方法において、（ｋ）のステップにてカウント値と設定カウント値とが一致したときのカウント値は、（ｇ）のステップにてカウントした連続値である。
【００３３】
本発明の無線電話機の圏内判定方法において、第１比較結果は、第１受信電界値又は第２受信電界値が基準電界値より低い。第２比較結果は、第１受信電界値又は第２受信電界値が基準電界値以上である。第１位置比較結果は、第１位置情報と第２位置情報とが一致している。
【００３４】
本発明の無線電話機の圏内判定方法において、第１比較結果は、第１受信電界値又は第２受信電界値が基準電界値以下である。第２比較結果は、第１受信電界値又は第２受信電界値が基準電界値より高い。第１位置比較結果は、第１位置情報と第２位置情報とが一致している。
【００３５】
（ｄ）のステップは、（ｌ）第１受信電界値と基準電界値との比較が第２比較結果であり、第１位置情報と第２位置情報との比較が第２位置比較結果であるとき圏内モードを設定するステップを更に備えている。この場合、第２位置比較結果は、第１位置情報と第２位置情報とが一致していない。
【００３６】
これにより、本発明の無線電話機の圏内判定方法は、圏内と圏外との境界近辺で待ち受けモードと圏外モードとを繰り返すことによる充電池の電力の浪費を低減することができる。また、本発明の無線電話機の圏内判定方法は、充電池の電力の浪費を低減することにより、本発明の無線電話機の使用可能時間を長くすることができる。
【００３７】
【発明の実施の形態】
添付図面を参照して、本発明による無線電話機及びその圏内判定方法の実施の形態を以下に説明する。図１は、本発明の無線電話機の構成を示すブロック図である。
【００３８】
本発明の無線電話機（子機）１０は、公衆回線に接続された複数の無線基地局（親機）と時分割多重無線伝送路を介して接続されている。この無線電話機１０は、時分割多重無線伝送路にて、複数の無線基地局と、電波（チャネルデータ）を送受信することが可能である。図１に示されるように、無線電話機１０は、アンテナを有する無線部１と、ベースバンド部２と、送受話部３と、制御部４と、操作部（操作キー）５と、通知部６と、記憶部７とを備えている。また、無線電話機１０は、電力源となる図示せぬ充電池を更に備え、操作部５により電源の入り切りを行うことができる。制御部４には、無線部１、ベースバンド部２、操作部５、通知部６、記憶部７が接続されている。ベースバンド部２と送受話部３は接続されている。
【００３９】
送受話部３は、送話部１１、受話部１２を備えている。通知部６は、発信者からの着信を通知するために、画像として表示するＬＣＤ表示部１３、発信者からの着信を通知するために通知音を出力するサウンダ１４を備えている。記憶部７は、基準電界値記憶部１５、位置情報記憶部１６を備えている。
【００４０】
複数の無線基地局と無線電話機１０は、ユニークワード（同期信号）、音声データ、音声データを伝送するための制御に用いられる制御データを含むフレームを有する電波（チャネルデータ）を送受信する。無線電話機１０の無線部１は、複数の無線基地局から送信された電波のうちの１つの電波を受信する。ここで、上述の１つの電波は、複数の無線基地局のうちの１つの無線基地局から送信された電波とする。
【００４１】
圏内モード（待ち受けモード）のとき、無線部１は、時分割多重無線伝送路にて複数の無線基地局と、電波を送受信する。待ち受けモードとは、複数の無線基地局（のうちの１つの無線基地局）の圏内であることを示し、無線電話機１０は、複数の無線基地局のうちの１つの無線基地局を介して電話をすることができる（通話が可能な）モードである。
【００４２】
圏外モードのとき、無線部１は、時分割多重無線伝送路にて複数の無線基地局と、電波を所定の周期で（Ｘ秒おきに（Ｘは整数））受信する。圏外モードとは、複数の無線基地局の圏外であることを示し、複数の無線基地局のうちの１つの無線基地局を介して電話をすることができない（通話が不可能な）モードである。また、圏外モードとは、無線部１が電波を所定の周期で受信することにより、Ｘ秒毎に無線電話機１０が複数の無線基地局（のうちの１つの無線基地局）を検索しながら、且つ無線電話機１０の消費電力を待ち受けモードに比べて抑えることができるモードである。
【００４３】
電波の受信の場合、無線部１は、複数の無線基地局のうちの１つの無線基地局から、ユニークワード、音声データ、制御データを含むフレームを有する電波を、アンテナを介して受信し、フレームに含まれるユニークワードを抽出してフレームの同期をとる。同時に、無線部１は、フレームに含まれる音声データ及び制御データのスクランブルを解除して、音声データをベースバンド部２に出力し、制御データを制御部４に出力する。また、同時に、無線部１は、複数の無線基地局のうちの１つの無線基地局から電波を第１時点で受信し、第１時点で受信された電波の強さを表す受信電界値を制御部４に出力する。電波の受信の場合、音声データには、無線電話機１０を利用する利用者に発信された発信者の音声を示すＡＤＰＣＭ発信者音声データが含まれる。また、制御データには、発信者からの発信者電話番号と、無線電話機１０の第１位置情報として、複数の無線基地局のうちの１つの無線基地局の無線基地局ＩＤとが含まれる。この第１位置情報は、第１時点の位置情報を示す。
【００４４】
電波の送信の場合、無線部１は、ベースバンド部２から出力される音声データに、制御部４から出力される制御データを付加し、スクランブルをかけた後にユニークワード（同期信号）を付加した、ユニークワード、音声データ及び制御データを含むフレームを有する電波を、アンテナを介して複数の無線基地局のうちの１つの無線基地局に送信する。電波の送信の場合、無線電話機１０を利用する利用者の音声を示すＡＤＰＣＭ利用者音声データが含まれる。また、制御データには、利用者による利用者電話番号と、複数の無線基地局のうちの１つの無線基地局の無線基地局ＩＤとが含まれる。
【００４５】
記憶部７の基準電界値記憶部１５は、予めに、無線基地局の圏内レベルを示す基準電界値を記憶している。
【００４６】
記憶部７の位置情報記憶部１６は、無線部１が第１時点より前に複数の無線基地局のうちの１つの無線基地局から電波を受信したとき（第２時点）の位置情報を示す第２位置情報を記憶している。
【００４７】
電波の受信の場合、制御部４は、無線部１から受信電界値と制御データに含まれる第１位置情報とを入力し、受信電界値と、基準電界値記憶部１５に記憶されている基準電界値とを比較し、第１位置情報と、位置情報記憶部１６に記憶されている第２位置情報とを比較する。この制御部４は、受信電界値と基準電界値との比較の結果と、第１位置情報と第２位置情報との比較の結果とに基づいて、待ち受けモードと圏外モードとのうちの一方を設定する。ここで、電波の送信の場合、制御部４は、この第１位置情報（複数の無線基地局のうちの１つの無線基地局の無線基地局ＩＤ）を無線部１に出力する。
【００４８】
また、電波の受信の場合、制御部４は、待ち受けモードと圏外モードとのうちの一方を設定した後、第２位置情報を更新するために、第１位置情報を位置情報記憶部１６に出力する。位置情報記憶部１６は、制御部４から出力された第１位置情報を第２位置情報として更新して記憶する。
【００４９】
操作部５は、利用者により操作され、利用者は、操作部５により動作モードを設定する。操作部５による無線電話機１０の動作モードとしては、無線電話機１０が待ち受けモードである場合、操作部５の操作により相手電話番号を入力して電話をかけるモードと、着信時に、操作部５の操作により電話に出るモードと、電話をかけるモード及び電話に出るモードに対して電話を切るモードとが挙げられる。
【００５０】
電話をかけるモード及び電話に出るモードでは、利用者の操作により、操作部５は、利用者と相手（上述の発信者を含む）との送受話を開始するための送受話開始信号を制御部４に出力する。また、電話をかけるモードでは、利用者の操作により、操作部５は、相手電話番号を制御部４に出力する。電話を切るモードでは、利用者の操作により、操作部５は、利用者と相手との送受話を終了するための送受話終了信号を制御部４に出力する。制御部４は、送受話開始信号を入力して送受話終了信号を入力するまでの間、音声データの復号化・符号化を行い、デジタル／アナログ（Ｄ／Ａ）・アナログ／デジタル（Ａ／Ｄ）変換を行うようにベースバンド部２を制御する。
【００５１】
制御部４は、着信時に、無線部１から制御データに含まれる発信者電話番号を取得することにより着信であることを認識し、発信者電話番号を通知部６に出力する。通知部６のＬＣＤ表示部１３は、着信時に、制御部４からの発信者電話番号を表示する。また、通知部６のサウンダ１４は、制御部４からの発信者電話番号に基づいて通知音を出力する。ここで、着信時に、利用者により操作部５が操作されたとき、無線電話機１０は、電話に出るモードに移行する。
【００５２】
ベースバンド部２は、無線部１から出力された音声データに含まれるＡＤＰＣＭ発信者音声データをＰＣＭ発信者音声データに復号化することにより伸長し、ＰＣＭ発信者音声データをＤ／Ａ変換し、発信者の音声を示すアナログ音声データとして受話部１２に出力する。受話部１２は、アナログ音声データにより発信者の音声を出力する。
【００５３】
利用者により操作部５が操作され、電話をかけるモードに移行した場合、送受話部３の送話部１１は、無線電話機１０を利用する利用者の音声を入力してベースバンド部２に出力する。ベースバンド部２は、送話部１１から出力された利用者の音声を示すアナログ音声データをＰＣＭ利用者音声データにＡ／Ｄ変換し、ＰＣＭ利用者音声データをＡＤＰＣＭ利用者音声データに符号化することにより圧縮して、ＡＤＰＣＭ利用者音声データを含む音声データとして無線部１に出力する。
【００５４】
次に、圏内で待ち受けモードを設定し、圏外で圏外モードを設定し、圏内と圏外との境界近辺で確実に待ち受けモードと圏外モードとの一方を設定する無線電話機１０について図２を参照して説明する。市街地に無線基地局が多数設けられている場所であっても、複数の無線基地局（のうちの１つの無線基地局）から送信された電波を市街地内における建物の陰や地下街のような場所で無線電話機１０が受信したときの受信電界値は、局地的に圏内レベルよりも低くなったり、通常の受信電界値以上に戻ったりすることがある。このような場所は、無線基地局の圏内と圏外との境界近辺に対応する。
【００５５】
図２は、本発明の無線電話機の実施の形態を示すシステム図である。無線基地局２０は公衆回線に接続されている。この無線基地局２０は、上述した複数の無線基地局のうちの１つの無線基地局に対応する。
【００５６】
図２に示されるように、無線基地局２０は、第１範囲１０１内に存在する。第１範囲１０１内は、無線基地局２０の圏内を示し、第１範囲１０１内にある無線電話機１０は、無線基地局２０を介して電話をすることができる（通話が可能である）。この場合、無線電話機１０の受信部１が第１時点で受信した受信電界値は、基準電界値（圏内レベル）以上の値を示し、無線電話機１０の制御部４は、待ち受けモードを設定する。
【００５７】
第２範囲１０２は、第１範囲１０１よりわずかに大きい範囲から、第１範囲１０１を除いた範囲である。第２範囲１０２外は、無線基地局２０の圏外を示し、第２範囲１０２外にある無線電話機１０ｂは、無線基地局２０を介して電話をすることができない（通話が不可能である）。ここで、無線電話機１０ｂは無線電話機１０と構成が同じである。この場合、無線電話機１０ｂの受信部１が受信した受信電界値は、圏内レベルより低い値を示し、無線電話機１０ｂの制御部４は、圏外モードを設定する。
【００５８】
また、第２範囲１０２内は、無線基地局２０の圏内と圏外との境界近辺を示し、第２範囲１０２内で無線電話機１０ａが受信した受信電界値は、場合によって、圏内レベル以上の値と圏内レベルより低い値を示す。ここで、無線電話機１０ａは無線電話機１０と構成が同じである。無線電話機１０ａの受信部１が圏内レベルより低い値を示す受信電界値を受信した場合、無線電話機１０ａの制御部４は、圏外モードを設定する。この場合、無線電話機１０ａは、無線基地局２０を介して電話をすることができない。
【００５９】
無線電話機１０ａの受信部１が圏内レベル以上の値を示す受信電界値を受信した場合、無線電話機１０ａの制御部４は、第１時点の第１位置情報が第１時点より前の第２時点の第２位置情報に対して変化がなければ（第１位置情報と第２位置情報とが一致していれば）、設定時間内に順次に受信した受信電界値が連続して圏内レベル以上のとき、待ち受けモードを設定する。この場合、無線電話機１０ａは、無線基地局２０を介して電話をすることができる。
【００６０】
また、無線電話機１０ａの受信部１が圏内レベル以上の値を示す受信電界値を受信した場合、無線電話機１０ａの制御部４は、第１位置情報が第２位置情報に対して変化があれば（第１位置情報と第２位置情報とが一致しなければ）、無線電話機１０が移動して複数の無線基地局のうちの無線基地局２０（１つの無線基地局）以外の圏内にあると認識し、待ち受けモードを設定する。この場合、無線電話機１０ａは、他の１つの無線基地局を介して電話をすることができる。
【００６１】
このように、無線電話機１０ａ（本発明の無線電話機１０）は、受信電界値と基準電界値との比較の結果と、第１位置情報と第２位置情報との比較の結果とに基づいて、待ち受けモードと圏外モードとのうちの一方を設定し、圏内と圏外との境界近辺で待ち受けモードと圏外モードとを繰り返さないため、充電池の電力を無駄に浪費しない。これにより、無線電話機１０ａ（本発明の無線電話機１０）は、圏内と圏外との境界近辺で待ち受けモードと圏外モードとを繰り返すことによる充電池の電力の浪費を低減することができる。また、無線電話機１０ａ（本発明の無線電話機１０）は、無線電話機１０ａ（本発明の無線電話機１０）に備えられた充電池の電力の浪費を低減することにより、無線電話機１０ａ（本発明の無線電話機１０）の使用可能時間を長くすることができる。
【００６２】
次に、無線電話機１０の制御部４によって待ち受けモードと圏外モードとのうちの一方を設定する動作について図３を参照して説明する。図３は、本発明の無線電話機の動作を示すフローチャート図である。
【００６３】
まず、待ち受けモードにて、無線部１が無線基地局２０から、ユニークワード、音声データ、制御データを含むフレームを有する電波を第１時点で受信し、フレームに含まれるユニークワードを抽出してフレームの同期をとり、制御データを制御部４に出力したとき待ち受けモードと判定し（ステップＡ１−ＮＯ）、制御部４は、待ち受けモードを継続する（ステップＡ９）。この場合、無線電話機１０は、無線基地局２０を介して電話をすることができる。
【００６４】
次に、待ち受けモードにて、無線部１が無線基地局２０から、ユニークワード、音声データ、制御データを含むフレームを有する電波を第１時点で受信し、フレームの同期をとり、無線基地局２０から第１時点（現時点）に受信された電波の強さを表す受信電界値と、現時点の現位置情報（第１位置情報に対応）を含む制御データとを制御部４に出力したとき、制御部４は、現時点の受信電界値と現位置情報とを取得する（ステップＡ１０）。
【００６５】
次に、待ち受けモードにて、制御部４は、現時点の受信電界値と、基準電界値記憶部１５に記憶されている基準電界値（圏内レベル）とを比較する（ステップＡ１１）。待ち受けモードにて、制御部４は、受信電界値と圏内レベルとの比較の結果、現時点の受信電界値が圏内レベルより低いとき〔第１比較結果〕圏外モードと判定して（ステップＡ１１−ＮＯ）、無線基地局２０の圏内監視回数として設定カウント値Ｎ（Ｎは１以上の正数）を設定し（ステップＡ２）、圏外モードを設定し（ステップＡ３）、現位置情報を前位置情報として更新するために位置情報記憶部１６に出力する。この場合、無線電話機１０は、無線基地局２０を介して電話をすることができない。一方、待ち受けモードにて、制御部４は、受信電界値と圏内レベルとの比較の結果、現時点の受信電界値が圏内レベル以上のとき〔第２比較結果〕待ち受けモードと判定して（ステップＡ１１−ＹＥＳ）、設定している待ち受けモードを継続し、現位置情報を前位置情報として更新するために位置情報記憶部１６に出力し、ステップＡ１に戻る。
【００６６】
待ち受けモードにて、無線部１が無線基地局２０から電波を受信してフレームの同期をとることができないとき、制御部４は、無線部１から制御データの出力がないことにより、フレームの同期はずれを検出して圏外モードと判定して（ステップＡ１−ＹＥＳ）、無線基地局２０の圏内監視回数として設定カウント値Ｎを設定し（ステップＡ２）、圏外モードを設定する（ステップＡ３）。この場合、無線電話機１０は、無線基地局２０を介して電話をすることができない。
【００６７】
次に、圏外モードにて、無線部１が無線基地局２０から、ユニークワード、音声データ、制御データを含むフレームを有する電波を、所定の周期で受信し、フレームの同期をとり、所定の周期の第１時点（現時点）に受信された電波の強さを表す受信電界値と、現時点の現位置情報（第１位置情報に対応）を含む制御データとを制御部４に出力したとき（無線基地局２０を検索したとき）、制御部４は、現時点の受信電界値と現位置情報とを取得する（ステップＡ４）。
【００６８】
ここで、ステップＡ４で無線基地局２０から無線部１を介して取得された現時点の受信電界値、現位置情報より前に、無線基地局２０から無線部１を介して取得された受信電界値、現位置情報（例えばステップＡ１０で取得され、ステップＡ１１−ＮＯを経た受信電界値、現位置情報）は、無線部１が無線基地局２０から現時点より前に第２時点（前時点）で電波を受信し、前時点に受信された電波の強さを表す受信電界値、前時点の位置情報を示す前位置情報を出力した場合の、前時点の受信電界値、前位置情報に対応する。この前位置情報は、位置情報記憶部１６に記憶されている。この場合、制御部４は、前時点の受信電界値と圏内レベルとの比較の結果、前時点の受信電界値が圏内レベルより低いとき〔第１比較結果〕（ステップＡ１１−ＮＯ）、設定カウント値Ｎを設定し（ステップＡ２）、圏外モードを設定し（ステップＡ３）、現時点より前の例えばステップＡ１０で取得された位置情報を前位置情報として位置情報記憶部１６に出力し、現時点の受信電界値、現位置情報を取得する（ステップＡ４）。
【００６９】
圏外モードにて、制御部４は、現時点の受信電界値と、基準電界値記憶部１５に記憶されている基準電界値（圏内レベル）とを比較する（ステップＡ５）。制御部４は、現時点の受信電界値と圏内レベルとの比較の結果、受信電界値が圏内レベルより低いとき〔第１比較結果〕圏外モードと判定して（ステップＡ５−ＮＯ）、設定している圏外モードを継続するために、ステップＡ２に戻る。一方、圏外モードにて、制御部４は、現時点の受信電界値と圏内レベルとの比較の結果、現時点の受信電界値が圏内レベル以上のとき〔第２比較結果〕（ステップＡ５−ＹＥＳ）、現位置情報と、位置情報記憶部１６に記憶された前時点の前位置情報（第２位置情報に対応）とを比較する（ステップＡ６）。
【００７０】
次に、圏外モードにて、制御部４は、現位置情報と前位置情報との比較の結果、一致したとき〔第１位置比較結果〕（ステップＡ６−ＹＥＳ）、無線電話機１０が同じ位置で移動していないことを認識し（無線電話機１０が無線基地局２０の圏内と圏外との境界近辺にあると認識し）、圏内回数を１だけカウントし（ステップＡ７、Ａ８）、現位置情報を前位置情報として更新するために位置情報記憶部１６に出力し、ステップＡ３に戻る。
【００７１】
圏外モードにて、ステップＡ３〜Ａ８を繰り返し、制御部４は、ステップＡ７により、カウント値と設定カウント値Ｎとを比較し、カウント値と設定カウント値とが一致しないとき圏外モードの設定を継続する。一方、圏外モードにて、制御部４がステップＡ８により圏内回数をＮ回連続してカウントした場合、制御部４はステップＡ７により、カウント値（Ｎ回連続カウント）と設定カウント値Ｎとが一致したとき待ち受けモードと判定して、待ち受けモードを設定する（ステップＡ９）。カウント値と設定カウント値とが一致したときのカウント値は、ステップＡ３〜Ａ８を繰り返すことにより、第２比較結果と第１位置比較結果のとき制御部４がカウントした連続値である。このように、設定カウント値は、圏外モードを設定してから圏内モードを設定するまでの設定時間（図２で説明された上述の設定時間）に対応する。
【００７２】
圏外モードにて、ステップＡ３〜Ａ８を繰り返している間に利用者が移動することにより、無線電話機１０は、複数の無線基地局のうちの無線基地局２０（１つの無線基地局）以外の他の１つの無線基地局の圏内に移動する。ここで、圏外モードにて、無線部１が他の１つの無線基地局から、ユニークワード、音声データ、制御データを含むフレームを有する電波を所定の周期で受信し、フレームの同期をとり、他の１つの無線基地局から第１時点（現時点）で受信された電波の強さを表す受信電界値と、現時点の現位置情報（他の１つの無線基地局）を含む制御データとを制御部４に出力したとき（他の１つの無線基地局を検索したとき）、制御部４は、現時点の受信電界値と現位置情報とを取得する（ステップＡ４）。
【００７３】
ここで、ステップＡ４で他の１つの無線基地局から無線部１を介して取得された現時点の受信電界値、現位置情報より前に、前述のステップＡ４で無線基地局２０から無線部１を介して取得された受信電界値、現位置情報は、無線部１が無線基地局２０から現時点より前に前時点で電波を受信し、前時点に受信された電波の強さを表す受信電界値、前時点の位置情報を示す前位置情報を出力した場合の、前時点の受信電界値、前位置情報に対応する。この前位置情報（無線基地局２０）は、位置情報記憶部１６に記憶されている。
【００７４】
次に、圏外モードにて、制御部４は、現時点の受信電界値と、基準電界値記憶部１５に記憶されている基準電界値（圏内レベル）との比較により受信電界値が圏内レベル以上のとき〔第２比較結果〕（ステップＡ５−ＹＥＳ）、現位置情報（他の１つの無線基地局）と、位置情報記憶部１６に記憶されている前位置情報（無線基地局２０）との比較により現位置情報（他の１つの無線基地局）と前位置情報（無線基地局２０）とが一致しないため〔第２位置比較結果〕（ステップＡ６−ＮＯ）、無線電話機１０が移動して複数の無線基地局のうちの無線基地局２０（１つの無線基地局）以外の無線基地局の圏内にあると認識し（待ち受けモードと判定し）、待ち受けモードを設定する（ステップＡ９）。この場合、無線電話機１０は、他の１つの無線基地局を介して電話をすることができる。
【００７５】
このように、制御部４は、前時点の受信電界値と圏外モードとの比較が第１比較結果のとき圏外モードを設定する前に設定カウント値Ｎを設定し、現時点の受信電界値と圏外モードとの比較が第２比較結果であり、現位置情報と前位置情報との比較が第１位置比較結果であるときカウントし、カウント値と設定カウント値Ｎとを比較し、カウント値と設定カウント値Ｎとの比較の結果、カウント値と設定カウント値とが一致しないとき圏外モードの設定を継続し、カウント値と設定カウント値とが一致したとき待ち受けモードを設定する。また、制御部４は、現時点の受信電界値と圏外モードとの比較が第２比較結果であり、現位置情報と前位置情報との比較が第２位置比較結果であるとき待ち受けモードを設定する。ここで、第１比較結果は、現時点の受信電界値（又は前時点の受信電界値）が基準電界値より低い。第２比較結果は、現時点の受信電界値（又は前時点の受信電界値）が基準電界値以上である。第１位置比較結果は、第１位置情報と第２位置情報とが一致している。第２位置比較結果は、第１位置情報と第２位置情報とが一致していない。
【００７６】
これにより、無線電話機１０は、圏内と圏外との境界近辺で確実に圏内モードと圏外モードとの一方を設定することができる。また、無線電話機１０は、圏内と圏外との境界近辺で確実に待ち受けモードと圏外モードとの一方を設定することにより、無線電話機１０に備えられた充電池の電力の浪費を低減し、無線電話機１０の使用可能時間を長くすることができる。
【００７７】
尚、第１比較結果と第２比較結果は、上記の説明に限定されず、第１比較結果として現時点の受信電界値（又は前時点の受信電界値）が基準電界値以下であり、第２比較結果として現時点の受信電界値（又は前時点の受信電界値）が基準電界値より高くてもよい。
【００７８】
以上の説明により、本発明の無線電話機によれば、圏内と圏外との境界近辺で圏内モードと圏外モードとを繰り返すことによる電力の浪費を低減することができる。
【００７９】
また、本発明の無線電話機によれば、電力の浪費を低減することにより、使用可能時間を長くすることができる。
【００８０】
また、本発明の無線電話機によれば、圏内と圏外との境界近辺で確実に圏内モードと圏外モードとの一方を設定することができる。
【００８１】
また、本発明の無線電話機によれば、圏内と圏外との境界近辺で確実に圏内モードと圏外モードとの一方を設定することにより、電力の浪費を低減し、使用可能時間を長くすることができる。
【００８２】
【発明の効果】
本発明の無線電話機は、圏内と圏外との境界近辺で圏内モードと圏外モードとを繰り返すことによる電力の浪費を低減することができる。
【図面の簡単な説明】
【図１】図１は、本発明の無線電話機の構成を示すブロック図である。
【図２】図２は、本発明の無線電話機の実施の形態を示すシステム図である。
【図３】図３は、本発明の無線電話機の動作を示すフローチャート図である。
【符号の説明】
１    無線部
２    ベースバンド部
３    送受話部
４    制御部
５    操作部（操作キー）
６    通知部
７    記憶部
１０    無線電話機
１１    送話部
１２    受話部
１３    ＬＣＤ表示部
１４    サウンダ
１５    基準電界値記憶部
１６    位置情報記憶部
２０    無線基地局
１０１    第１範囲
１０２    第２範囲
【図１】
0004702692.tif 000002
【図２】
0004702692.tif 000003
【図３】
0004702692.tif 000004